(57)【要約】【課題】使用者の乱視を補正することができるファインダ装置及びカメラを提供する。【解決手段】ファインダ装置（６０）を、画像（Ｃ）を表示可能に設けられた表示部（６１）と、前記表示部に対して観察方向手前側に配置され、直交する２軸方向で曲率半径が異なるレンズ（８１）と、前記直交する２軸のそれぞれに直交して設けられた回転軸線周りに前記レンズを前記表示部に対して回転させる回転機構（９０）とを備える構成とした。【選択図】図２
2009103811.tif 000002
【特許請求の範囲】
【請求項１】
画像を表示可能に設けられた表示部と、
前記表示部に対して観察方向手前側に配置され、直交する２軸方向で曲率半径が異なるレンズと、
前記直交する２軸のそれぞれに直交して設けられた回転軸線周りに前記レンズを前記表示部に対して回転させる回転機構と
を備えるファインダ装置。
【請求項２】
請求項１に記載のファインダ装置において、
前記表示部は、前記画像として乱視表を表示可能であること
を特徴とするファインダ装置。
【請求項３】
請求項１又は請求項２に記載のファインダ装置と、
撮影光学系と、
前記撮影光学系を通過した被写体光を電気信号に変換して出力する撮像部と
を備え、
前記ファインダ装置は、前記表示部に前記撮像部の出力に基づいて形成される被写体像を表示可能であること
を特徴とするカメラ。
【請求項４】
請求項１又は請求項２に記載のファインダ装置と、
撮影光学系と、
前記ファインダ装置における前記レンズよりも前記表示部側に設けられ、前記撮影光学系を通過した被写体像が結像されるファインダスクリーンと
を備え、
前記表示部は、前記画像を表示した表示状態と前記画像を非表示にして光を透過可能にする透過状態との切り替えが可能なこと
を特徴とするカメラ。
【請求項５】
請求項３又は請求項４に記載のカメラにおいて、
前記回転機構は、前記レンズを前記回転軸線周りに回転させることが可能なアクチュエータを含み、
該カメラは、該カメラにおける前記回転軸線周りの姿勢の変化を検出可能に設けられた姿勢検出部と、前記姿勢検出部の出力に応じて前記アクチュエータを制御し、前記レンズを所定の角度回転させる制御部とを備えること
を特徴とするカメラ。
【請求項６】
請求項５に記載のカメラにおいて、
手動操作によって前記制御部に対して回転指示信号を発信可能な入力操作部を備え、
前記制御部は、前記回転指示信号に応じて前記アクチュエータを制御し、前記レンズを前記所定の角度回転させること
を特徴とするカメラ。
【請求項７】
請求項３から請求項６までのいずれか１項に記載のカメラにおいて、
前記回転機構は、手動操作によって前記レンズを前記回転軸線周りに回転させることが可能な回転操作部を含むこと
を特徴とするカメラ。
【発明の詳細な説明】
【技術分野】
【０００１】
本発明は、ファインダ装置及びカメラに関するものである。
【背景技術】
【０００２】
目の検査装置としては、回転式の円柱レンズを用いて観察者の乱視の調べる乱視検査装置が知られている（例えば、特許文献１参照）。
【特許文献１】特公昭６０−４９５００号公報
【発明の開示】
【発明が解決しようとする課題】
【０００３】
ここで、乱視の撮影者がカメラを用いて撮影を行う場合、撮影者は、被写体観察用のファインダ装置によって被写体像を正確に観察することが困難である。このため、乱視の撮影者であっても被写体像を確実に観察することのできるファインダ装置の開発が望まれていた。
本発明の課題は、使用者の乱視を補正することができるファインダ装置及びカメラを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、画像（Ｃ）を表示可能に設けられた表示部（６１）と、前記表示部に対して観察方向手前側に配置され、直交する２軸方向で曲率半径が異なるレンズ（８１）と、前記直交する２軸のそれぞれに直交して設けられた回転軸線周りに前記レンズを前記表示部に対して回転させる回転機構（９０）とを備えるファインダ装置（６０）である。
【０００５】
請求項２の発明は、請求項１に記載のファインダ装置において、前記表示部（６１）は、前記画像として乱視表（Ｃ）を表示可能であることを特徴とするファインダ装置（６０）である。
【０００６】
請求項３の発明は、請求項１又は請求項２に記載のファインダ装置（６０）と、撮影光学系（１０）と、前記撮影光学系を通過した被写体光を電気信号に変換して出力する撮像部（２０）とを備え、前記ファインダ装置は、前記表示部（６１）に前記撮像部の出力に基づいて形成される被写体像を表示可能であることを特徴とするカメラ（１）である。
請求項４の発明は、請求項１又は請求項２に記載のファインダ装置（６０）と、撮影光学系（１０）と、前記ファインダ装置における前記レンズ（８１）よりも前記表示部（１６２）側に設けられ、前記撮影光学系を通過した被写体像が結像されるファインダスクリーン（１６１）とを備え、前記表示部は、前記画像を表示した表示状態と前記画像を非表示にして光を透過可能にする透過状態との切り替えが可能なことを特徴とするカメラ（１０１）である。
請求項５の発明は、請求項３又は請求項４に記載のカメラにおいて、前記回転機構（９０）は、前記レンズ（９１）を前記回転軸線周りに回転させることが可能なアクチュエータ（９４）を含み、該カメラは、該カメラにおける前記回転軸線周りの姿勢の変化を検出可能に設けられた姿勢検出部（５０）と、前記姿勢検出部の出力に応じて前記アクチュエータを制御し、前記レンズを所定の角度回転させる制御部（７０）とを備えることを特徴とするカメラ（１）である。
請求項６の発明は、請求項５に記載のカメラにおいて、手動操作によって前記制御部（７０）に対して回転指示信号を発信可能な入力操作部（４４）を備え、前記制御部は、前記回転指示信号に応じて前記アクチュエータ（９４）を制御し、前記レンズ（８１）を前記所定の角度回転させることを特徴とするカメラ（１）である。
請求項７の発明は、請求項３から請求項６までのいずれか１項に記載のカメラにおいて、前記回転機構（９０）は、手動操作によって前記レンズ（９１）を前記回転軸線周りに回転させることが可能な回転操作部（９２）を含むことを特徴とするカメラ（１）である。
なお、符号を付して説明した構成は、適宜改良してもよく、また、少なくとも一部を他の構成物に代替してもよい。
【発明の効果】
【０００７】
本発明によれば、使用者の乱視を補正することができるファインダ装置及びカメラを提供することができる。
【発明を実施するための最良の形態】
【０００８】
［第１実施形態］
以下、図面等を参照して、本発明を適用したファインダ装置及びこのファインダ装置を備えたカメラの実施形態について説明する。
図１は、第１実施形態のカメラの概略構成を示す図である。
この図１において、（ａ）は、光軸を含むカメラの断面図を示し、（ｂ）は、カメラに備えられた操作部の構成を示している。
第１実施形態のカメラ１は、図１に示すように、撮影レンズ１０、撮像素子２０、電源３０、操作部４０、姿勢検出部５０、ＥＶＦ（Electronic View Finder）６０、回路部７０等を備えている。
【０００９】
撮影レンズ１０は、例えば、フォーカスレンズやズームレンズ等を含む複数のレンズ群によって形成されている。複数のレンズ群は、光軸Ａ方向に沿って配列されている。撮影レンズ１０の一部は、アクチュエータ等を含むレンズ駆動部１１によって、光軸Ａ方向に進退動作を行うようになっている。撮影レンズ１０は、被写体像を撮像素子２０に結像させる。
撮像素子２０は、撮影レンズ１０を通過した被写体光を電気信号に変換して出力する光−電気変換素子である。撮像素子２０の結像面は、光軸Ａ方向からみた正面視で略長方形に形成されている。以下、撮影レンズ１０の光軸Ａを水平にして横長の画像を撮影する際のカメラの姿勢を横位置と称して説明する。また、横位置のカメラ１を光軸Ａ周りに９０°回転させた状態のカメラ１の姿勢を縦位置と称して説明する。
【００１０】
電源３０は、カメラ１に備えられた各電気要素に電力を供給するものである。
操作部４０は、撮影者等のカメラ１のユーザが操作する部材である。図１（ｂ）に示すように、操作部４０には、カメラ１の電源のオン、オフ操作を行う際に操作する電源ボタン４１、カメラ１に撮影動作を行わせる際に操作するレリーズボタン４２、後述する乱視補正の初期設定を行う際等に操作する設定ボタン４３、後述する補正レンズ８１を強制的に回転させる際に操作する強制回転ボタン４４等の押しボタンスイッチが設けられている。
【００１１】
姿勢検出部５０は、カメラ１の光軸Ａ周りの姿勢の変化を検出するものであり、後述する回路部７０は、この姿勢検出部５０の出力に基づいてカメラ１の姿勢が横位置であるか縦位置であるかを判定するようになっている。
また、カメラ１が光軸Ａ周りに回転して、その姿勢が横位置から縦位置に変化する際、カメラ１の回転方向は、２方向（例えば、撮影者からみて時計回り方向及び反時計回り方向）が考えられるが、姿勢検出部５０は、カメラ１がどちらの方向に回転して縦位置に変化したかも検出できるようになっている。姿勢検出部５０の種類は、特に限定されないが、例えば、ジャイロセンサや加速度センサを含む公知の姿勢センサ等を使用することができる。
【００１２】
ＥＶＦ６０は、撮影者が撮影構図を決定する際（フレーミング時）に被写体像を観察するために使用するものである。このＥＶＦ６０の構成については、後に詳しく説明する。
回路部７０は、カメラ１に備えられた各電気要素を統括的に制御する制御部であり、ＣＰＵ等の演算装置を含んでいる。この回路部７０には、撮像素子２０の出力（電気信号）に基づいて画像データを生成する信号処理回路が備えられている。
【００１３】
次に、カメラ１に備えられたＥＶＦ６０の構成について説明する。
図２は、図１に示すカメラに備えられたＥＶＦの概略構成を示す図である。
この図２において、（ａ）は、ＥＶＦ６０に備えられた主レンズ６２の光軸Ｂを含む断面図であり、（ｂ）は、ＥＶＦ６０の要部を示す斜視図である。
【００１４】
ＥＶＦ６０は、図２（ａ）に示すように、表示部６１、主レンズ６２、及び、乱視補正ユニット８０を備えている。
表示部６１は、液晶パネル６１ａと、この液晶パネル６１ａの背面（表示面とは反対側の面）側に設けられたバックライト６１ｂとを備えた公知のＬＣＤ（liquid crystal display）表示装置である。
表示部６１は、液晶パネル６１ａに任意の画像を表示することができ、撮影者がフレーミングを行う際には、スルー画像を表示する。スルー画像とは、フレーミング時において、信号処理回路が撮像素子２０の出力に基づいて略リアルタイムで生成する動画像を意味し、撮影者Ｐは、表示部６１に表示されたスルー画像（被写体像）を観察しながらフレーミングを行う。
【００１５】
主レンズ６２は、表示部６１に対して観察方向手前側に配置されたレンズであり、表示部６１に表示される画像を拡大するようになっている。この主レンズの光軸Ｂは、撮影レンズ１０の光軸Ａと略平行になっている。なお、観察方向とは、観察者である撮影者Ｐから観察対象である表示部６１へと向かう方向（図２の矢印Ｏ方向）を意味するものとする。
【００１６】
乱視補正ユニット８０は、撮影者Ｐが表示部６１に表示される被写体像を観察する際に、この撮影者Ｐの乱視を光学的に補正するものである。乱視補正ユニット８０は、表示部６１に対して主レンズ６２よりもさらに観察方向手前側に配置されている。
乱視補正ユニット８０は、円柱レンズである補正レンズ８１と（図２（ｂ）参照）、この補正レンズ８１を表示部６１に対して光軸Ｂ周りに回転させる回転機構９０（図３参照）とを備えている。円柱レンズとは、直交する２軸方向の曲率半径が異なるレンズの一種であり、一方の軸方向の曲率半径を無限大に設定したものである。円柱レンズは、その曲率中心が点ではなく線（中心線）になり、本実施形態の補正レンズ８１における中心線は、光軸Ｂ上に配置されている。
なお、図２（ｂ）に示す補正レンズ８１は、円柱レンズであることを示すために光軸Ｂに直交する断面形状が略正方形状となっているが、補正レンズ８１の光軸Ｂに直交する断面形状は略円形でもよい。
【００１７】
次に、乱視補正ユニット８０に備えられた回転機構９０について説明する。
図３は、図２に示す乱視補正ユニットに備えられた回転機構の構成を示す図であり、（ａ）は、分解斜視図であり、（ｂ）は、回転機構を電動モータの出力軸方向からみた側面図である。
図３の各図に示すように、回転機構９０は、レンズ保持枠９１、手動操作環９２、駆動リング９３、電動モータ９４、回転角検出器９５等を備えている。
【００１８】
レンズ保持枠９１は、円筒状に形成された枠体であり、その内径側に補正レンズ８１を保持している。レンズ保持枠９１は、その外周面から外径側に突き出して設けられた複数（本実施形態では３本）の支持軸９１ａが設けられている。これらの支持軸９１ａは、光軸Ｂ周りに略均等な間隔で設けられている。支持軸９１ａは、円環状に形成された回転コロ９１ｂを回転自在に軸支している。
【００１９】
手動操作環９２は、レンズ保持枠９１と同軸上に配置された円環状の部材であり、その内径側にレンズ保持枠９１が配置されている。手動操作環９２の外周面からは、レバー９２ａが外径側に突き出して設けられている。このレバー９２ａは、ファインダ装置６０がカメラボディに収容された状態で、カメラボディから突き出しており、撮影者が手動で操作できるようになっている。
【００２０】
駆動リング９３は、レンズ保持枠９１と同軸上に配置された円環状の部材であり、その内径側にレンズ保持枠９１が配置されている。駆動リング９３は、歯車状に形成されており、外周面に複数の歯が形成されている。
前述の手動操作環９２は、回転コロ９１ｂよりも表示部６１側に配置され、駆動リング９３は、回転コロ９１ｂよりも撮影者Ｐ側に配置されている。
電動モータ９４は、駆動リング９３を回転駆動するアクチュエータであり、減速ギア９４ａを介して駆動リング９３を光軸Ｂ周りに回転させるようになっている。
【００２１】
上述した手動操作環９２及び駆動リング９３は、それぞれが回転コロ９１ｂに接触している。そして、手動操作環９２及び駆動リング９３は、それぞれが加圧バネ９６ａ、９６ｂによって回転コロ９１ｂを押圧する方向に付勢されている。
乱視補正ユニット８０は、手動操作環９２が回転操作されると、これに応じて回転コロ９１ｂが回転する。加圧バネ９６ａ、９６ｂは、手動操作環９２が回転したときには駆動リング９３が回転しないように加圧力が設定されており、手動操作環９２が回転した場合には、回転コロ９１ｂが駆動リング９３に対して回転する（駆動リング９３上を走行する）ことによってレンズ保持枠９１が光軸Ｂ周りに回転する。
これに対し、加圧バネ９６ａ、９６ｂは、電動モータ９４によって駆動リング９３を回転させるときには手動操作環９２が回転しないように加圧力が設定されており、駆動リング９３が回転する場合、回転コロ９１ｂは、手動操作環９２に対して回転する（手動操作環９２上を走行する）。これによって、レンズ保持枠９１が光軸Ｂ周りに回転する。
【００２２】
回転角検出器９５は、レンズ保持枠９１が光軸Ｂ周りに回転した場合に、その回転角度を検出するものである。回転角検出器９５は、レンズ保持枠９１の外周面に形成された磁気パターン９１ｃを読み取る磁気検出器を含んでいる。回転角検出器の構成は、これに限らず、例えば、光検出式のものであってもよい。
【００２３】
次に、本実施形態のカメラ１を用いて撮影を行う際に回路部７０が行う制御について、フローチャートを用いてステップごとに説明する。
図４は、図１に示すカメラを用いて撮影を行う際に回路部が行う制御を示すフローチャートであり、補正レンズの初期位置を決定する初期設定フェーズにおける処理を示している。
【００２４】
＜初期設定フェーズ＞
（ステップＳ０１：乱視補正チャート表示）
回路部７０は、操作部４０に備えられた設定ボタン４３が操作されると、これに応じてファインダ装置６０の表示部６１に、図５に示すような乱視補正チャートＣを表示させ、ステップＳ０２に進む。
図５は、図２に示すファインダ装置に備えられた表示部に表示される乱視補正用のチャートを示す図である。
乱視補正チャートＣは、乱視表等とも称される公知のチャートであり、放射状に延びる複数のラインによって形成されている。
撮影者Ｐは、この乱視補正チャートＣを観察しながら、手動操作環９２のレバー９２ａを操作して補正レンズ８１を表示部６１に対して回転させ、自己の乱視が補正された状態（乱視補正チャートＣに設けられた複数のラインの全てをクリアに視認できる状態）とすることができる補正レンズ８１の位置を決定する。
補正レンズ８１の位置が決定した場合、撮影者は、再度設定ボタン４３を操作し、回路部７０に対して初期設定を終了する旨の信号を発信する。
【００２５】
（ステップＳ０２：設定ボタンの再操作判定）
回路部７０は、設定ボタン４３の再操作を検出しない場合には、待機状態となり、設定ボタンの再操作を検出した場合には、ステップＳ０３に進む。
（ステップＳ０３：姿勢情報を取得）
回路部７０は、姿勢検出部５０の出力に基づいて、この初期設定時のカメラ１の姿勢（横位置又は縦位置）を回路部７０に備えられた図示しないメモリに記録して、ステップＳ０４に進む。
（ステップＳ０４：乱視補正チャート消灯）
回路部７０は、ステップＳ０１で表示部６１に表示させた乱視補正チャートＣを消灯し、初期設定フェーズにおける処理を終了する。
【００２６】
次に、カメラ１を用いて撮影を行う撮影フェーズにおいて回路部７０が行う制御について説明する。
図６は、図１に示すカメラを用いて撮影を行う際に回路部が行う制御を示すフローチャートであり、撮影時にカメラの姿勢が変化した際の乱視補正ユニットの制御フローを示している。
【００２７】
＜撮影フェーズ＞
（ステップＳ１１：強制回転フラグリセット）
回路部７０は、電源ボタン４１がオン操作されると、これに応じて本フローに示す撮影フェーズの処理を開始する。
回路部７０は、まず、撮影者Ｐが強制回転ボタン４４をオン（押圧）操作しているか、否かを示す強制回転フラグをリセット（強制回転フラグ＝０）してステップＳ１２に進む。強制回転フラグについては、後に詳しく説明する。
【００２８】
（ステップＳ１２：姿勢情報読み出し）
回路部７０は、図５のステップＳ０３でメモリに記録した姿勢情報（縦位置又は横位置）を読み出して、ステップＳ１３に進む。
【００２９】
（ステップＳ１３：電源オフ検出）
回路部７０は、操作部４０に備えられた電源ボタン４１がオフ操作（電源オンの状態で再度電源ボタン４１が押圧操作）されたか否かを判定する。回路部７０は、オフ操作を検出した場合には、カメラ１に備えられた各電気要素に対する電力の供給を中止し、撮影フェーズにおける処理を終了する。
これに対し、回路部７０は、電源ボタン４１のオフ操作を検出しない場合には、ステップＳ１４に進む。
【００３０】
（ステップＳ１４：レリーズボタンオン検出）
回路部７０は、レリーズボタン４２がオン操作されたことを検出すると、これに応じてステップＳ１５に進んで撮影動作を開始する。これに対して、回路部７０は、レリーズボタン４２のオン操作を検出しない場合には、ステップＳ１６に進む。
【００３１】
（ステップＳ１５：撮影処理）
回路部７０は、撮像素子２０から出力される電気信号に基づいて画像データを生成し、これを図示しない記憶媒体に記録してステップＳ１６に進む。
【００３２】
（ステップＳ１６：強制回転フラグ判定）
回路部７０は、撮影処理を行った（ステップＳ１４＝Ｙｅｓ）か否か（ステップＳ１４＝Ｎｏ）に関わらず、強制回転フラグの判定を行う。すなわち、回路部７０は、撮影フェーズにおいて、強制回転フラグを常時監視していることになる。強制回転フラグが１になっている場合（図７（ａ）参照）には、ステップＳ１３に戻り以降の処理を繰り返す。また、強制回転フラグが０の場合には、ステップＳ１７に進む。
【００３３】
ここで、撮影中に撮影者Ｐが強制回転ボタン４４を使用する場合を説明する。
例えば、カメラ１の姿勢を変化させずに撮影者Ｐが首を傾けた場合には、補正レンズ８１が回転しないので、ファインダ装置６０は、撮影者Ｐの乱視を補正できない。このため、カメラ１は、撮影者Ｐが補正レンズ８１を強制的に回転できるようになっている。
【００３４】
以下、強制回転ボタン４４が操作された際に回路部７０が行う制御について説明する。
図７は、図１に示すカメラに備えられた回路部が、強制回転ボタンが操作された際に行う制御を示すフローチャートである。
この図７において、（ａ）は、強制回転ボタンがオン（押圧）操作された場合を、（ｂ）は、強制回転ボタンがオフ（押圧解除）操作された場合をそれぞれ示している。
回路部７０は、図７（ａ）に示すように、強制回転ボタン４４のオン操作を検出すると、これに応じて電動モータ９４を制御して補正レンズを９０°回転させる（ステップＳ１０１）。また、強制回転ボタン４４の押圧操作に応じて、強制回転フラグが１となる（ステップＳ１０２）。
【００３５】
また、回路部７０は、強制回転ボタン４４のオフ操作を検出すると、図７（ｂ）に示すように、これに応じて補正レンズ８１を−９０°回転させる（ステップＳ２０１）。強制回転フラグは、これに応じて１から０に変化する（ステップＳ２０２）。
【００３６】
補正レンズ８１は、撮影者Ｐが強制回転ボタン４４をオン操作（押圧）し続けている間は、９０°回転した状態が維持され、この間、前述の強制回転フラグは１である。また、撮影者が強制回転ボタン４４のオン操作（押圧）を解除すると（オフ操作）、補正レンズ８１は、例えば、−９０°回転して自動的に初期位置に戻るようになっている。また、これに併せて強制回転フラグが０に戻る。
【００３７】
強制回転ボタン４４が図６に示す撮影フェーズでオン操作、オフ操作された場合、回路部７０は、図７（ａ）、（ｂ）に示す処理を、図６に示すフローに対して割り込ませる。
例えば、フレーミング中に強制回転ボタン４４がオン操作させると、強制回転フラグが１となる。この状態で撮影者Ｐの乱視は、補正された状態となるので、回路部７０は、補正レンズ８１を制御する必要がない。このため、回路部７０は、ステップＳ１６からステップＳ１３に戻る制御を行う。
これに対し、強制回転ボタン４４がオン操作されていない状態で、カメラ１の姿勢が変化した場合には、回路部７０は、ステップ１７以降の処理（カメラ１の姿勢変化に追従して補正レンズ８１を回転させる制御）を行う。
【００３８】
（ステップＳ１７：姿勢情報取得）
回路部７０は、姿勢検出部５０の出力に基づいてカメラ１の現在の姿勢情報（縦位置又は横位置）を取得し、これ姿勢情報を図示しないメモリに一時的に記録してステップＳ１８に進む。
【００３９】
（ステップＳ１８：姿勢情報の比較）
回路部７０は、ステップＳ１２で読み出した姿勢情報（初期設定フェーズ（図５参照）で取得した初期設定時のカメラ１の姿勢）、又は、後述するステップＳ２０で書き換えたカメラ１の姿勢情報（２ループ目以降）と、ステップＳ１７で取得した姿勢情報（現在の姿勢）とを比較する。
この結果、カメラ１の姿勢が変化していた場合には、ステップＳ１９に進み、カメラ１の姿勢に変化がない場合には、ステップＳ１３に戻って以下の処理を繰り返す。
【００４０】
（ステップＳ１９：補正レンズ回転）
回路部７０は、乱視補正ユニット８０に備えられた電動モータ９４を制御して補正レンズ８１を光軸Ｂ周りに、例えば、９０°回転させ、ステップＳ２０に進む。
（ステップＳ２０：姿勢情報の書き換え）
回路部７０は、図５のステップＳ０３においてメモリに記録した姿勢情報を破棄し、新たにステップＳ１７で一時的に記録した現在の姿勢情報をメモリに記録する。
【００４１】
この後、回路部７０はステップＳ１３に戻り、以降の処理を繰り返す。
このように、本実施形態のカメラ１に備えられた回路部７０は、フレーミングと撮影とが繰り返される撮影フェーズにおいて、ステップＳ１３からステップＳ２０の処理を繰り返し行うようになっいる。したがって、回路部７０は、フレーミング中にカメラ１の姿勢が変化すると（ステップＳ１８でＹｅｓ判定）、これに追従して補正レンズ８１を、例えば、光軸Ｂ周りに９０°回転させる処理を行う。
【００４２】
なお、撮影者Ｐが撮影を開始する際（電源ボタン４１のオン操作を行う際）、カメラ１の姿勢が初期設定の姿勢と異なる場合とが想定される。
電源オン時のカメラ１の姿勢が初期設定時と異なれば、撮影者Ｐの乱視は、補正されないので、撮影者Ｐは、フレーミング中に強制回転ボタン４４をオン操作して補正レンズ８１を強制的に回転させる（強制回転フラグ＝１）。これによって撮影者Ｐの乱視は、補正されるので、回路部７０は、ステップＳ１６からステップＳ１３に戻り、以降の処理を繰り返す。
この後、撮影者Ｐがカメラ１を構え直した場合（初期設定時の姿勢に戻した場合）には、撮影者Ｐ自身が乱視が補正されないことに気が付くので、撮影者Ｐは、強制回転ボタン４４のオン操作を解除（強制回転フラグ＝０）する。補正レンズ８１は、これに併せて回転する（図７（ｂ）のステップＳ２０１参照）が、カメラ１の姿勢は、初期設定時と同じなので、回路部７０は、ステップＳ１９の処理（補正レンズ８１の追従回転）を行わない。ただし、この後、さらにカメラ１の姿勢が変化した場合には、回路部７０は、ステップＳ１６からステップＳ１７に進み（２ループ目）、補正レンズ８１の追従制御を行う。
【００４３】
以上説明した本実施形態のカメラ１によれば、以下の効果を得ることができる。
（１）カメラ１に備えられたファインダ装置６０は、円柱レンズである補正レンズ８１を表示部６１に対して回転させることができるので、撮影者Ｐの乱視を補正することができる。しかも、カメラ１は、その姿勢が変化すると、これに追従して補正レンズ８１が回転するので、撮影者Ｐは、カメラ１の姿勢に関わらず乱視が補正されたスルー画像（ファインダ像）を常時観察することができ、快適に撮影を行うことができる。
（２）ＥＶＦ６０の液晶パネル６１ａに乱視補正チャートＣを表示できるので、撮影者Ｐは、初期設定において、容易かつ確実に乱視を補正できる補正レンズ８１の位置を設定することができる。
（３）補正レンズ８１を手動で回転させる手動操作環９２を設けたので、補正レンズ８１の回転角度を容易に微調整ができる。例えば、カメラの姿勢が横位置から、例えば、３０°程度回転させた場合であっても、補正レンズ８１の回転角度を微調整できるので、撮影者Ｐは、乱視の補正されたファインダ像を観察することができる。
【００４４】
［第２実施形態］
次に、本発明を適用したファインダ装置及びこのファインダ装置を備えたカメラの第２実施形態について説明する。この第２実施形態において、上述した第１実施形態と同様な機能を果たす部分には、同一の符号又は末尾に統一した符号を付して、重複する説明や図面を適宜省略する。
【００４５】
第１実施形態のカメラ１が表示部６１にスルー画像を表示するＥＶＦ６０（電子ファインダ装置）を備えていたのに対し、第２実施形態のカメラ１０１は、光学式のファインダ装置１６０を備える点が異なっている。以下、第２実施形態のカメラ１０１に備えられたファインダ装置１６０について説明する。
図８は、第２実施形態のカメラの概略構成を示す図である。
【００４６】
この第２実施形態のファインダ装置１６０は、カメラ１０１に対して着脱可能となっている。そこで、乱視でない撮影者Ｐがカメラ１０１を使用する場合は、乱視補正ユニット８０を含まないファインダ装置を装着すればよい。
ファインダ装置１６０は、焦点板１６１、液晶表示装置１６２、ペンタプリズム１６３、乱視補正ユニット８０を備えている。
カメラ１０１は、被写体光の光路上であって、撮像素子２０の結像面の手前に被写体光をファインダ装置１６０に反射するミラーＭを備えている。このミラーＭは、撮影時におけるレリーズボタン４２の全押し操作に応じて光路上から退避する、公知のクイックリターンミラーである。
【００４７】
焦点板１６１は、ファインダスクリーン等とも称されるものであり、ミラーＭによって反射された被写体像が結像する。
液晶表示装置１６２は、回路部７０の制御に基づいて乱視補正チャートＣを表示する表示装置であり、焦点板１６１に重ねて設けられている。液晶表示装置１６２は、乱視補正チャートＣを表示させた状態と、光の透過が可能な略透明な状態とを切り変えることができる。液晶表示装置１６２には、例えば、ＰＮ（Polymer Network）液晶等を使用することができる。
液晶表示装置１６２に乱視補正チャートＣを表示させた場合、撮影者Ｐは、焦点板１６１に結像される被写体像の観察が制限される。これに対し、撮影者Ｐは、液晶表示装置１６２が透明な状態のときは焦点板１６１に結像される被写体像の観察を行うことができる。
ペンタプリズム１６３は、焦点板１６１に結像された被写体像を正立像にして乱視補正ユニット８０に導くものである。
乱視補正ユニット８０は、第１実施形態のカメラ１に備えられていたものと同じものである。また、乱視補正ユニット８０とペンタプリズム１６３との間には、被写体像を拡大させる主レンズ６２が配置されている。
【００４８】
この第２実施形態のカメラ１０１では、乱視補正チャートＣ（図５参照）が液晶表示装置１６２に表示される点を除き、第１実施形態のカメラ１と略同じ制御が行われる。したがって、この第２実施形態のカメラ１０１も、第１実施形態のカメラ１と同様の効果を得ることができる。
また、第２実施形態のファインダ装置１６０は、被写体光を銀塩フィルムに露光することによって撮影を行うフィルムカメラにも適用することができる。
【００４９】
［変形形態］
本発明は、以上説明した実施形態に限定されることなく、種々の変形や変更が可能であって、それらも本発明の技術的範囲に含まれる。
（１）実施形態において、ファインダ装置に備えられた乱視補正用のレンズは、円柱レンズであったが、レンズの直交する２軸方向の曲率半径が異なれば、乱視補正効果を得ることができるので、乱視補正用のレンズは円柱レンズに限られない。
（２）実施形態のカメラは、縦位置か横位置かを判定し、これに応じて補正レンズを、例えば、９０°回転させたが、これに限らず、例えば、カメラの光軸Ａ周りの回転角度を詳細（例えば、３０°、４５°等）に検出し、この回転角度に対応する角度だけ、補正レンズを回転させるようにしてもよい。
（３）本実施形態のファインダ装置は、カメラに備えられたが、これに限らず、例えば、望遠鏡、双眼鏡、顕微鏡等のその他の光学装置に備えさせてもよい。
【図面の簡単な説明】
【００５０】
【図１】第１実施形態のカメラの概略構成を示す図である。
【図２】図１に示すカメラに備えられたファインダ装置の構成を示す図である。
【図３】図２に示すファインダ装置に備えられた乱視補正ユニットの構成を示す図である。
【図４】図１に示すカメラを用いて初期設定を行う際に回路部が行う制御を示すフローチャートである。
【図５】図２に示すファインダ装置に備えられた表示部に表示される乱視補正用のチャートを示す図である。
【図６】図１に示すカメラを用いて撮影を行う際に回路部が行う制御を示すフローチャートである。
【図７】図１に示すカメラに備えられた回路部が、強制回転ボタンが操作された際に行う制御を示すフローチャートである。
【図８】第２実施形態のカメラの概略構成を示す図である。
【符号の説明】
【００５１】
１  カメラ  ：  ６０  ファインダ装置  ：  ６１  表示部  ：  ８１  補正レンズ  ：  ９０  回転機構  ：  Ｃ  乱視補正チャート
【図１】
2009103811.tif 000003
【図２】
2009103811.tif 000004
【図３】
2009103811.tif 000005
【図４】
2009103811.tif 000006
【図５】
2009103811.tif 000007
【図６】
2009103811.tif 000008
【図７】
2009103811.tif 000009
【図８】
2009103811.tif 000010